(57)【要約】【課題】主に各種電子機器の操作に用いられるリモコン送信機に関し、所定の位置で蓋体が確実に保持されると共に、この保持を容易に解除することができ、使い勝手の良好なものを提供することを目的とする。【解決手段】蓋体１２下方へ突出する当接部１２Ａを設けると共に、ケース１１上面に上方向へ突出する係止凸部１１Ｆとこの近傍に押圧部１１Ｈを有して下方向へ弾性変形可能な係止部１１Ｅを設けて、蓋体１２を開方向へスライド移動させた時に、所定の位置で当接部１２Ａを係止凸部１１Ｆに当接させることにより、蓋体１２をケース１１に確実に保持できると共に、押圧部１１Ｈを押し下げるとこれらの当接による保持が解除されて、蓋体１２が開方向へ移動可能となり、使い勝手の良いリモコン送信機を得ることができる。【選択図】図１
2010093478.tif 000002
【特許請求の範囲】
【請求項１】
電池を収納する凹状の収納部が上面に形成された略箱状のケースと、前記収納部に隣接して配設されると共に操作部が前記ケースの上面から突出した操作体と、前記操作部と前記収納部を覆うと共に前記ケースに開閉方向をスライド移動可能に装着された蓋体と、前記操作部の操作によって電気的接離を行うスイッチ接点と、前記スイッチ接点の電気的接離に応じて、送信部からリモコン信号を送信する制御部からなり、前記蓋体の閉方向の略端部に下方へ突出する当接部を設けると共に、前記ケース上面の前記収納部と前記操作部の間に、上方向へ突出する係止凸部とこの近傍に押圧部を有して下方向へ弾性変形可能な係止部を一体に設け、前記蓋体を閉状態から開方向へスライド移動した時に、所定の位置で前記蓋体の当接部を前記ケースの係止凸部に当接させ、前記係止部の押圧部を押し下げると前記係止凸部が前記当接部から離れるように形成したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、映像や音響、空調等の各種電子機器においては、電池を収容したリモコン送信機を用いて、機器から離れた箇所から、機器の様々な機能の遠隔操作を行なうものが増えている。
【０００３】
このような従来のリモコン送信機について、図５〜図７を用いて説明する。
【０００４】
図５は従来のリモコン送信機の断面図、図６は同分解斜視図であり、同図において、１は略箱型で絶縁樹脂製のケースで、左側に下方に窪んだ略矩形の収納部１Ａが設けられると共に、中央に操作面１Ｃが、右側には収納部１Ａ上面や操作面１Ｃより高方に位置した操作面１Ｂが各々設けられ、操作面１Ｂ、１Ｃには複数の開口孔が各々形成されている。
【０００５】
そして、２は絶縁樹脂製の蓋体で、ケース１の収納部１Ａ及び操作面１Ｃの両側部にスライド可能に装着されて、複数の電池３が収納された収納部１Ａ及び操作面１Ｃ上方を覆っている。
【０００６】
また、ケース１の操作面１Ｃ右端の両側部には外方に突出した突起１Ｄが各々形成されると共に、蓋体２の右側の両側裏面には突起１Ｄに対向して窪んだ凹部（図示せず）が形成されている。
【０００７】
さらに、ケース１の操作面１Ｃ左端の中央上面に上方へ突出した係止部１Ｅが形成されると共に、蓋体２右端の中央下面には下方へ突出し、左側面に傾斜部２Ｂが設けられた突出部２Ａが形成されている。
【０００８】
そして、４はゴム等の操作体で、略板状のベース部上に各々連結形成された複数の第１の操作部４Ａと、第１の操作部４Ａより高さが低い複数の第２の操作部４Ｂが設けられると共に、この第１及び第２の操作部４Ａ、４Ｂ下面にはカーボン等の可動接点（図示せず）が形成されている。
【０００９】
また、５は上下面に複数の配線パターン（図示せず）が形成された配線基板で、上面にはカーボン等の複数の固定接点（図示せず）が形成されると共に、この固定接点が第１及び第２の操作部４Ａ、４Ｂ下面の可動接点と所定の間隙を空けて対向して、複数のスイッチ接点６が形成されている。
【００１０】
そして、配線基板５の上下面には、発光ダイオード等のリモコン信号を送信する送信部７や、マイコン等の制御部８が形成され、この制御部８に電池３や複数の固定接点、送信部７などが電気的に接続されている。
【００１１】
また、９は略箱型で絶縁樹脂製の下ケースで、この下ケース９によってケース１の下面が覆われて配線基板５や操作体４が収容されると共に、ケース１上面の操作面１Ｂや１Ｃの複数の開口孔から、操作体４の第１及び第２の操作部４Ａや４Ｂが上下動可能に突出している。
【００１２】
さらに、１０は絶縁樹脂製のシートで、このシート１０が操作面１Ｃ上面に第２の操作部４Ｂを除く表面を覆うように貼付されて、リモコン送信機が構成されている。
【００１３】
以上の構成において、図５に示すように、蓋体２がケース１の操作面１Ｃと収納部１Ａの上方を覆った閉状態では、ケース１の両側部の突起１Ｄが対向する蓋体２の凹部に係合して、ケース１に蓋体２が係止されている。
【００１４】
そして、このリモコン送信機を電子機器に向け、所定の第１の操作部４Ａを押圧操作すると、第１の操作部４Ａが下方へ移動し、この下面の可動接点が複数の固定接点と接触して、スイッチ接点６の電気的接離が行われ、この電気的接離に応じて制御部８が、送信部７から赤外線のリモコン信号を電子機器へ送信し、これによって例えば、エアコン等の電子機器の電源の入／切や温度の増減等が遠隔操作によって行なわれる。
【００１５】
また、蓋体２をこの閉状態から左の開方向へ手でスライド操作すると、図７（ａ）の断面図に示すように、ケース１の突起１Ｄと蓋体２の凹部との係合が外れて蓋体２は左の開方向へスライド移動し、蓋体２の突出部２Ａ左側面の傾斜部２Ｂがケース１の係止部１Ｅの右側面に当接して係止され、操作面１Ｃの上方が開いて、第２の操作部４Ｂが操作可能な状態となる。
【００１６】
そして、この操作面１Ｃの上方が開いた状態で、所定の第２の操作部４Ｂを押圧操作すると、上記の場合と同様に、押圧操作に対応してスイッチ接点６の電気的接離が行なわれて、送信部７からリモコン信号が送信され、例えば、エアコンの風量や風向きなどの、第１の操作部４Ａに比べ使用頻度の少ない機能の設定が行なわれる。
【００１７】
さらに、図７（ａ）に示す状態から、蓋体２をさらに左の開方向へ手で操作すると、蓋体２の突出部２Ａが係止部１Ｅに対し傾斜部２Ｂによって上方へ弾性変形して、突出部２Ａとケース１の係止部１Ｅとの係止が外れ、蓋体２が開方向へ移動し、図７（ｂ）に示すように、収納部１Ａの上方が開いた状態となって、電池３の交換を行なうことができるようになっている。
【００１８】
つまり、蓋体２が収納部１Ａや操作面１Ｃを覆った閉状態から、第２の操作部４Ｂを操作する場合には、蓋体２を開方向へスライド移動すると、蓋体２の突出部２Ａがケース１の係止部１Ｅに当接して係止され、操作面１Ｃの上方が開いた状態となって第２の操作部４Ｂの操作が可能となり、さらに、蓋体２に開方向へ力を加えて操作すると、突出部２Ａが弾性変形しながら係止部１Ｅを乗り越えてこれらの係止が外れ、蓋体２が開方向へスライド移動して、収納部１Ａが開いて電池交換が可能なように構成されているものであった。
【００１９】
なお、この出願の発明に関連する先行技術文献情報としては、例えば、特許文献１が知られている。
【特許文献１】特開２００５−３４７１９４号公報
【発明の開示】
【発明が解決しようとする課題】
【００２０】
しかしながら、上記従来のリモコン送信機においては、蓋体２が閉じられた閉状態から、使用頻度の少ない第２の操作部４Ｂを操作するために、蓋体２を開方向へ手で操作する際、ケース１の突起１Ｄと蓋体２の凹部との係合を外して蓋体２が開方向へスライド移動するために、蓋体２を多少大きな力で操作した場合、図７（ａ）の状態で止まらずに、蓋体２の突出部２Ａが傾斜部２Ｂによって弾性変形しながら係止部１Ｅを乗り越えて、蓋体２がさらに左方向へ移動して、図７（ｂ）の状態となり、ケース１から蓋体２が外れるなどして、開いた収納部１Ａから誤って電池３が脱落してしまう場合があるという課題があった。
【００２１】
本発明は、このような従来の課題を解決するものであり、簡易な構成で、蓋体が開方向の所定の位置で確実に保持されると共に、この保持の解除も容易で、使い勝手の良いリモコン送信機を提供することを目的とする。
【課題を解決するための手段】
【００２２】
上記目的を達成するために本発明は、蓋体の閉方向の略端部に下方へ突出する当接部を設けると共に、ケース上面の収納部と操作体の間に、上方向へ突出する係止凸部とこの近傍に押圧部を有して下方向へ弾性変形可能な係止部を一体に設け、蓋体を閉状態から開方向へスライド移動させた時に、所定の位置で蓋体の当接部をケースの係止凸部に当接させ、係止部の押圧部を押し下げると係止凸部が当接部から離れるようにしてリモコン送信機を構成したものであり、蓋体を閉状態から開方向へスライド移動させた時に、所定の位置で蓋体の当接部をケースの係止凸部に当接させることにより、所定の位置で蓋体がケースに確実に保持されて所望の操作部の操作が可能になると共に、さらに、電池交換の際には、所定の位置で蓋体がケースに保持された状態において、係止部の押圧部を押し下げると係止部が下方へ弾性変形し、係止凸部が当接部から離れてこれらの当接による保持が解除され、蓋体が開方向へ移動可能となって、収納部が開いた状態にできるため、誤って収納部が開いて蓋体が外れ、電池が脱落することなどが生じ難く、使い勝手の良好なリモコン送信機を得ることができるという作用を有する。
【発明の効果】
【００２３】
以上のように本発明によれば、簡易な構成で、所定の位置で蓋体が確実に保持されると共に、この保持が容易に解除され、使い勝手の良好なリモコン送信機を実現できるという有利な効果が得られる。
【発明を実施するための最良の形態】
【００２４】
以下、本発明の実施の形態について、図１〜図４を用いて説明する。
【００２５】
なお、背景技術の項で説明した構成と同一構成の部分には同一符号を付して、詳細な説明を簡略化する。
【００２６】
（実施の形態）
図１は本発明の一実施の形態によるリモコン送信機の断面図、図２は同分解斜視図であり、同図において、１１は略箱型でポリスチレン（以下、ＰＳと記載する）やアクリロニトリルブタジエンスチレン（以下、ＡＢＳと記載する）等の絶縁樹脂製のケースで、左側に下方に窪んだ略矩形の収納部１１Ａが設けられると共に、中央に操作面１１Ｃが、右側に収納部１１Ａ上面や操作面１１Ｃより高方に位置した操作面１１Ｂが各々設けられ、操作面１１Ｂ、１１Ｃには複数の開口孔が各々形成されている。
【００２７】
そして、１１Ｅは操作面１１Ｂ左端の中央上面に一体に設けられた略Ｌ字状の係止部で、この左端には左側に傾斜部１１Ｊを設けた係止凸部１１Ｆが上方へ突出し、この係止凸部１１Ｆの下端から右方へ延びると共に、両側にスリットが形成されたアーム部１１Ｇが設けられている。
【００２８】
なお、係止凸部１１Ｆの右側面は後述する蓋体１２の開閉方向に対し略直交した面となっている。
【００２９】
また、アーム部１１Ｇの上面は操作面１１Ｃより下方に窪むと共に、その窪んだ上面に略円柱状の押圧部１１Ｈが上方へ突出している。
【００３０】
そして、１２は断面視が略コ字状で平面視略矩形のＰＳやＡＢＳ等の絶縁樹脂製の蓋体で、ケース１１の収納部１１Ａ及び操作面１１Ｃの両側部にスライド移動可能に装着されて、複数の電池３が収納された収納部１１Ａ及び操作面１１Ｃ上方を覆っている。
【００３１】
また、蓋体１２右側の両側方の内側面には、ケース１１の操作面１１Ｃ右端の両側部に外方に突出した突起１１Ｄに対向して窪んだ凹部（図示せず）が形成されている。
【００３２】
さらに、１２Ａは蓋体１２右端の中央下面に下方へ突出した当接部で、この左側面は蓋体１２の開閉方向と略直交した面に形成されると共に、ケース１１の係止凸部１１Ｆの右側面に対向して設けられ、当接部１２Ａの右側には傾斜部１２Ｂが形成されている。
【００３３】
そして、４はゴムやエラストマー等の操作体で、略板状のベース部に略ドーム状の薄肉部によって、各々連結形成された複数の第１の操作部４Ａと、第１の操作部４Ａより高さが低い複数の第２の操作部４Ｂが設けられると共に、第１及び第２の操作部４Ａ、４Ｂ下面にはカーボン等の可動接点（図示せず）が形成されている。
【００３４】
また、５は紙フェノールやガラス入りエポキシ等の配線基板で、上下面に複数の配線パターン（図示せず）が形成されると共に、上面にはカーボン等の複数の固定接点（図示せず）が形成され、この固定接点が第１及び第２の操作部４Ａ、４Ｂ下面の可動接点と所定の間隙を空けて対向して、複数のスイッチ接点６が形成されている。
【００３５】
そして、配線基板５の上下面には、発光ダイオード等のリモコン信号を送信する送信部７や、マイコン等の制御部８が形成され、この制御部８に略コイル状の電極等（図示せず）を介して電池３が接続されると共に、複数の固定接点や送信部７が配線パターンを介して制御部８に電気的に接続されている。
【００３６】
また、９は略箱型でＰＳやＡＢＳ等の絶縁樹脂製の下ケースで、この下ケース９によってケース１１下面が覆われると共に、ケース１１上面の操作面１１Ｂや１１Ｃの複数の開口孔から、操作体４の第１及び第２の操作部４Ａや４Ｂが上下動可能に突出している。
【００３７】
さらに、１３はポリカーボネートやポリエチレンテレフタレート等の絶縁樹脂製のシートで、下面が不透明な所定の色に着色されると共に、所定の記号またはマークなどが表示され、このシート１３がケース１１の操作面１１Ｃ上面に、下面の粘着剤によって押圧部１１Ｈや第２の操作部４Ｂを除く表面を覆うように貼付されて、リモコン送信機が構成されている。
【００３８】
以上の構成において、図３（ａ）の斜視図に示すように、蓋体１２がケース１１の操作面１１Ｃと収納部１１Ａの上方を覆った閉状態では、ケース１１の両側部の突起１１Ｄが対向する蓋体１２の両側方の凹部（図示せず）に係合して、ケース１１に蓋体１２が係止されている。
【００３９】
そして、このリモコン送信機を電子機器に向け、所定の第１の操作部４Ａを押圧操作すると、第１の操作部４Ａが略ドーム状の薄肉部を弾性変形させて下方へ移動し、この下面の可動接点が複数の固定接点と接触して、スイッチ接点６の電気的接離が行われ、この電気的接離に応じて制御部８が、送信部７から赤外線のリモコン信号を電子機器へ送信し、これによって例えば、エアコン等の電子機器の電源の入／切や温度の増減等が、遠隔操作によって行われる。
【００４０】
また、この閉状態から蓋体１２を左の開方向へ手で操作すると、ケース１１の突起１１Ｄと蓋体１２の凹部との係合が外れて、蓋体１２は矢印で示す左の開方向へスライド移動する。
【００４１】
そして、図３（ｂ）や図４（ａ）の断面図に示すように、蓋体１２の当接部１２Ａの左側面が係止凸部１１Ｆの右側面に面同士で当接し、蓋体１２が開方向への移動を規制されて保持されることにより、操作面１１Ｃの上方が開いて第２の操作部４Ｂが操作可能な状態となる。
【００４２】
また、この操作面１１Ｃの上方が開いた状態で、所定の第２の操作部４Ｂを押圧操作すると、上記の場合と同様に、押圧操作に対応してスイッチ接点６の電気的接離が行なわれて、送信部７からリモコン信号が送信され、例えば、エアコンの風量や風向などの、第１の操作部４Ａに比べ使用頻度の少ない機能の設定が行なわれる。
【００４３】
さらに、図３（ｂ）や図４（ｂ）に示す状態から、シート１３から突出した係止部１１Ｅの押圧部１１Ｈを指などで押し下げると、アーム部１１Ｇが下方へ弾性変形すると共に係止凸部１１Ｆが下降し、係止凸部１１Ｆが当接部１２Ａから離れてこれらの当接による保持が解除される。
【００４４】
なお、この時、係止部１１Ｅのアーム部１１Ｇ上面は操作面１２Ｂ上面より下方に窪んでいることにより、アーム部１１Ｇはシート１３下面に粘着剤を介して付着していないため、アーム部１１Ｇは粘着剤の影響を受けることなく下方へ容易に弾性変形することができる。
【００４５】
すなわち、シート１３は、第２の操作部４Ｂや押圧部１１Ｈを除く、アーム部１１Ｇやその両側のスリットを含めた上面全体を覆うように、シート１３下面の粘着剤を介して操作面１１Ｃ上面に貼付されているが、アーム部１１Ｇ上面とその上方のシート１３下面の箇所は所定の隙間があり、これらが付着しないようになっている。
【００４６】
そして、押圧部１１Ｈを押し下げながら蓋体１２をさらに左の開方向へ操作すると、図３（ｃ）や図４（ｃ）に示すように、収納部１１Ａの上方が開いた状態となり、電池３の交換を行なうことができる。
【００４７】
つまり、蓋体１２に覆われた第２の操作部４Ｂを操作するために、蓋体１２を開方向へ手で操作した時に、所定の位置で蓋体１２の当接部１２Ａの左側面がケース１１の係止凸部１１Ｆの右側面に面同士が対向して当接し、蓋体１２が開方向への移動が規制されてカバー１１に保持され、第２の操作部４Ｂが配設された操作面１１Ｂが開いた状態となる。
【００４８】
そして、この時、もし蓋体１２を閉状態から開方向へ多少大きな力で操作した場合や、あるいは、図３（ｂ）や図４（ａ）に示す状態でさらに蓋体１２を開方向へ多少の力を加えた場合でも、蓋体１２の当接部１２Ａとケース１１の係止凸部１１Ｆが互いに対向した面同士で当接することによって、蓋体１２の開方向への移動が規制され、蓋体１２がこの位置で確実に保持されるようになっている。
【００４９】
さらに、この状態から、操作面１１Ｃ上に突出した押圧部１１Ｈを押し下げれば、当接部１２Ａと係止凸部１１Ｆの当接による保持が解除されて、蓋体１２が開方向へ移動可能となることによって、保持の解除も押圧部１１Ｈの押し下げという簡易な操作で容易に行なうことができるように構成されている。
【００５０】
また、電池交換の後、蓋体１２を再びケース１１に装着する際には、図３（ｃ）や図４（ｃ）の状態から、蓋体１２を右の閉方向へ操作すると、蓋体１２が収納部１１Ａの右端近傍で、当接部１２Ａの右側面の傾斜部１２Ｂがケース１１の係止部１１Ｅの係止凸部１１Ｆの左側面の傾斜部１１Ｊに接するが、そのまま蓋体１２を開方向へ操作を行うと、係止凸部１１Ｆが傾斜部１２Ｂに沿って下方へ押し下げられ、蓋体１２に過度な力が加わることなく蓋体１２が閉方向へ移動して、図３（ａ）や図４（ａ）に示す元の閉状態に戻って装着される。
【００５１】
なお、以上の説明では、当接部１２Ａの右側面に傾斜部１２Ｂを、係止凸部１１Ｆの左側面に傾斜部１１Ｊを各々設けた構成としたが、当接部１２Ａと係止凸部１１Ｆの少なくともいずれか一方にのみ傾斜部を設けて、蓋体１２をケース１１に装着する際に、当接部１２Ａと係止凸部１１Ｆがその傾斜部を介して接するように構成しても良い。
【００５２】
このように本実施の形態によれば、蓋体１２の閉方向の略端部に下方へ突出する当接部１２Ａを設けると共に、ケース１２上面の収納部１１Ａと操作体４の間に、上方向へ突出する係止凸部１１Ｆとこの近傍に押圧部１１Ｈを有して下方向へ弾性変形可能な係止部１１Ｅを設け、蓋体１２を閉状態から開方向へスライド移動させた時に、所定の位置で蓋体１２の当接部１２Ａをケース１１の係止凸部１１Ｆに当接させることによって、所定の位置で蓋体１２がケース１１に確実に保持されて所望の操作部の操作が可能になると共に、さらに、電池交換の際には、所定の位置で蓋体１２がケース１１に保持された状態において、係止部１１Ｅの押圧部１１Ｈを押し下げると係止凸部１１Ｆが当接部１２Ａから離れて当接による保持が解除されて、蓋体１２が開方向へ移動可能となり、収納部１１Ａを開いた状態にできるため、誤って収納部１１Ａが開くことによる電池の脱落などを防ぐことができ、使い勝手の良好なリモコン送信機を得ることができる。
【００５３】
なお、以上の説明では、押圧部１１Ｈをシート１０から突出させて指などで押し下げることにより、当接部１２Ａと係止凸部１１Ｆの当接による保持を解除させる構成について説明したが、押圧部１１Ｈの高さをシート１３上面と同一面、あるいはシート１３上面より低いものにして、棒状の道具を用いて押圧部１１Ｈを押し下げるようにすれば、第２の操作部４Ｂを操作した際に、押圧部１１Ｈを誤って指で押し下げて蓋体１２が移動し、収納部１１Ａが開かないようにすることができる。
【００５４】
また、以上の説明では、ケース１１の操作面１１Ｃ上面にシート１３を貼付したものとして説明したが、アーム部１１Ｇ両側のスリットが現れるなど見栄えに多少支障はあるが、操作面１１Ｃに直接、着色や所定の表示を施して、シート１３を省いたものにしても良い。
【００５５】
さらに、以上の説明では、配線基板５上面の固定接点と、操作体４下面の可動接点によって、複数のスイッチ接点６を形成した構成について説明したが、略ドーム状で導電金属薄板製の可動接点を用いたものや、或いは配線基板５に複数の個別のプッシュスイッチを実装したもの等、様々なスイッチ接点を用いた構成においても、本発明の実施は可能である。
【産業上の利用可能性】
【００５６】
本発明によるリモコン送信機は、簡易な構成で、所定の位置で蓋体が確実に保持されると共に、この保持を容易に解除することができ、使い勝手の良好なものが得られ、主に各種電子機器の操作用として有用である。
【図面の簡単な説明】
【００５７】
【図１】本発明の一実施の形態によるリモコン送信器の断面図
【図２】同分解斜視図
【図３】同蓋体の開閉状態を示す斜視図
【図４】同蓋体の開閉状態を示す断面図
【図５】従来のリモコン送信器の断面図
【図６】同分解斜視図
【図７】同蓋体の開閉状態を示す断面図
【符号の説明】
【００５８】
３  電池
４  操作体
４Ａ  第１の操作部
４Ｂ  第２の操作部
５  配線基板
６  スイッチ接点
７  送信部
８  制御部
９  下ケース
１１  ケース
１１Ａ  収納部
１１Ｂ、１１Ｃ  操作面
１１Ｄ  突起
１１Ｅ  係止部
１１Ｆ  係止凸部
１１Ｇ  アーム部
１１Ｈ  押圧部
１１Ｊ、１２Ｂ  傾斜部
１２  蓋体
１２Ａ  当接部
１３  シート
【図１】
2010093478.tif 000003
【図２】
2010093478.tif 000004
【図３】
2010093478.tif 000005
【図４】
2010093478.tif 000006
【図５】
2010093478.tif 000007
【図６】
2010093478.tif 000008
【図７】
2010093478.tif 000009